(57)【要約】【課題】スライドショーで利用される写真を適切かつ確実に撮影するための撮影指示ファイル生成プログラム及び撮影指示プログラム並びにデジタルカメラの提供。【解決手段】スライドショーを作成、表示する処理装置１では、撮影指示ファイル生成手段又は撮影指示ファイル生成プログラムによりスライドショーを構成するスライドのカテゴリーやカテゴリー毎の画像数などの撮影指示情報が記述された撮影指示ファイルが生成され、撮影指示ファイルを受け取ったデジタルカメラ７では、撮影指示手段又は撮影指示プログラムにより撮影指示情報を含む撮影指示画面が表示手段１０に表示されるため、撮影指示画面の指示に従って写真を撮影するだけでスライドショーに必要な画像データを適切かつ確実に取得することができ、この画像データを利用することにより効果的なスライドショーを作成することができる。【選択図】図１
2006196957.tif 000002
【特許請求の範囲】
【請求項１】
コンピュータを、
スライドショーの構成を設定するための画面を表示手段に表示させ、設定された前記スライドショーの構成に基づいて、該スライドショーで利用される画像データをデジタルカメラで撮影させるための撮影指示情報が記述された撮影指示ファイルを生成する撮影指示ファイル生成手段として機能させることを特徴とする撮影指示ファイル生成プログラム。
【請求項２】
前記撮影指示情報は、前記スライドショーを構成する各々のスライドのカテゴリー、又は、前記各々のスライドのカテゴリー及び該カテゴリーのスライドに表示される画像数を含むことを特徴とする請求項１記載の撮影指示ファイル生成プログラム。
【請求項３】
コンピュータを、
入力された撮影指示ファイルから、所定のスライドショーで利用される画像データをデジタルカメラで撮影させるための撮影指示情報を読み取り、該撮影指示情報を含む撮影指示画面を前記スライドショーのスライド順に従って前記デジタルカメラの表示手段に表示させる撮影指示手段として機能させることを特徴とする撮影指示プログラム。
【請求項４】
コンピュータを、
スライドショーの構成を設定するための画面を表示手段に表示させ、設定された前記スライドショーの構成に基づいて、該スライドショーで利用される画像データをデジタルカメラで撮影させるための撮影指示情報を含む撮影指示画面を前記スライドショーのスライド順に従って前記デジタルカメラの前記表示手段に表示させる撮影指示手段として機能させることを特徴とする撮影指示プログラム。
【請求項５】
前記撮影指示手段は、前記撮影指示画面に従って取得された前記画像データを、フォルダで分類して、前記デジタルカメラの記憶手段又は該デジタルカメラに装填される記録媒体に記録させることを特徴とする請求項３又は４に記載の撮影指示プログラム。
【請求項６】
前記撮影指示情報は、前記スライドショーを構成する各々のスライドのカテゴリー、又は、前記各々のスライドのカテゴリー及び該カテゴリーのスライドに表示される画像数を含むことを特徴とする請求項３乃至５のいずれか一に記載の撮影指示プログラム。
【請求項７】
撮像手段で撮像した被写体の像を信号処理して画像データを取得し、該画像データに基づく画像を表示手段に表示する機能を少なくとも備えるデジタルカメラにおいて、
入力された撮影指示ファイルから、所定のスライドショーで利用される画像データを前記デジタルカメラで撮影させるための撮影指示情報を読み取り、該撮影指示情報を含む撮影指示画面を前記スライドショーのスライド順に従って表示手段に表示させる撮影指示手段を備えることを特徴とするデジタルカメラ。
【請求項８】
撮像手段で撮像した被写体の像を信号処理して画像データを取得し、該画像データに基づく画像を表示手段に表示する機能を少なくとも備えるデジタルカメラにおいて、
スライドショーの構成を設定するための画面を前記表示手段に表示させ、設定された前記スライドショーの構成に基づいて、該スライドショーで利用される画像データを前記デジタルカメラで撮影させるための撮影指示情報を含む撮影指示画面を前記スライドショーのスライド順に従って前記表示手段に表示させる撮影指示手段を備えることを特徴とするデジタルカメラ。
【請求項９】
前記撮影指示手段は、前記撮影指示画面に従って取得された前記画像データを、フォルダで分類して、前記デジタルカメラの記憶手段又は該デジタルカメラに装填される記録媒体に記録させることを特徴とする請求項７又は８に記載のデジタルカメラ。
【請求項１０】
前記撮影指示情報は、前記スライドショーを構成する各々のスライドのカテゴリー、又は、前記各々のスライドのカテゴリー及び該カテゴリーのスライドに表示される画像数を含むことを特徴とする請求項７乃至９のいずれか一に記載のデジタルカメラ。
【発明の詳細な説明】
【技術分野】
【０００１】
本発明は、デジタルカメラでの撮影を支援するための撮影指示ファイル生成プログラム及び撮影指示プログラム並びにデジタルカメラに関する。
【背景技術】
【０００２】
近年、デジタルカメラの低価格化、小型化、高性能化等によりデジタルカメラを利用するユーザが増加している。デジタルカメラでは、撮影した写真の画像をデジタルデータとして取得することができ、取得した画像データはコンピュータ機器を用いて容易に加工することができるため、様々な用途に利用されている。
【０００３】
例えば、画像データに基づく画像をスライドショーとして表示することにより、該画像を効果的に表示することができることから、デジタルカメラで取得した画像データを用いて宣伝目的のスライドショーを作成することもできる。しかしながら、撮影に不慣れなユーザが見栄えのよい写真を撮影するのは困難であることから、写真撮影を支援する様々な技術が提案されている。例えば、下記特許文献１には、素人が写真を撮影する場合でも好ましい構図で写真を撮ることができるシステム及び方法が開示されている。
【０００４】
【特許文献１】特開２００３−１２５３２１号公報（第６−１０頁、第１図）
【発明の開示】
【発明が解決しようとする課題】
【０００５】
ここで、例えば、飲食店の宣伝のためのスライドショーを作成する場合、店の外観や店舗で提供される飲食物などをデジタルカメラで撮影し、撮影して得られた画像データをコンピュータ機器に取り込み、コンピュータ機器に予めインストールされたスライドショープログラムなどを用いてスライドショーを作成することになるが、その場合、スライドショーを意識して写真を撮影しないと、スライドショーの構成上、重要な写真を撮り忘れてしまう場合が生じる。
【０００６】
また、写真撮影にあたって予めスライドショーとして表示される順番を意識して写真を撮影しないと、スライドショーを作成する際に、多数の画像データの中から所望の画像データを選択したり、多数の画像データを並べ替える等の手間がかかってしまう。
【０００７】
このように、デジタルカメラは様々な用途に利用でき、デジタルカメラで撮影した画像データを用いてスライドショーを作成することもできるが、従来のデジタルカメラではスライドショーとして利用される写真を適切かつ確実に撮影することが難しいという問題があった。
【０００８】
本発明は、上記問題点に鑑みてなされたものであって、その主たる目的は、スライドショーとして利用される写真を適切かつ確実に撮影するための撮影指示ファイル生成プログラム及び撮影指示プログラム並びにデジタルカメラを提供することにある。
【課題を解決するための手段】
【０００９】
上記目的を達成するため、本発明の撮影指示ファイル生成プログラムは、コンピュータを、スライドショーの構成を設定するための画面を表示手段に表示させ、設定された前記スライドショーの構成に基づいて、該スライドショーで利用される画像データをデジタルカメラで撮影させるための撮影指示情報が記述された撮影指示ファイルを生成する撮影指示ファイル生成手段として機能させるものである。
【００１０】
本発明においては、前記撮影指示情報は、前記スライドショーを構成する各々のスライドのカテゴリー、又は、前記各々のスライドのカテゴリー及び該カテゴリーのスライドに表示される画像数を含むことが好ましい。
【００１１】
また、本発明の撮影指示プログラムは、コンピュータを、入力された撮影指示ファイルから、所定のスライドショーで利用される画像データをデジタルカメラで撮影させるための撮影指示情報を読み取り、該撮影指示情報を含む撮影指示画面を前記スライドショーのスライド順に従って前記デジタルカメラの表示手段に表示させる撮影指示手段として機能させるものである。
【００１２】
また、本発明の撮影指示プログラムは、コンピュータを、スライドショーの構成を設定するための画面を表示手段に表示させ、設定された前記スライドショーの構成に基づいて、該スライドショーで利用される画像データをデジタルカメラで撮影させるための撮影指示情報を含む撮影指示画面を前記スライドショーのスライド順に従って前記デジタルカメラの前記表示手段に表示させる撮影指示手段として機能させるものである。
【００１３】
本発明においては、前記撮影指示手段は、前記撮影指示画面に従って取得された前記画像データを、フォルダで分類して、前記デジタルカメラの記憶手段又は該デジタルカメラに装填される記録媒体に記録させる構成とすることができる。
【００１４】
また、本発明のデジタルカメラは、撮像手段で撮像した被写体の像を信号処理して画像データを取得し、該画像データに基づく画像を表示手段に表示する機能を少なくとも備えるデジタルカメラにおいて、入力された撮影指示ファイルから、所定のスライドショーで利用される画像データを前記デジタルカメラで撮影させるための撮影指示情報を読み取り、該撮影指示情報を含む撮影指示画面を前記スライドショーのスライド順に従って表示手段に表示させる撮影指示手段を備えるものである。
【００１５】
また、本発明のデジタルカメラは、撮像手段で撮像した被写体の像を信号処理して画像データを取得し、該画像データに基づく画像を表示手段に表示する機能を少なくとも備えるデジタルカメラにおいて、スライドショーの構成を設定するための画面を前記表示手段に表示させ、設定された前記スライドショーの構成に基づいて、該スライドショーで利用される画像データを前記デジタルカメラで撮影させるための撮影指示情報を含む撮影指示画面を前記スライドショーのスライド順に従って前記表示手段に表示させる撮影指示手段を備えるものである。
【００１６】
このように、本発明の構成によれば、ユーザは、デジタルカメラなどの撮影機器の表示手段に表示される撮影指示画面の指示に従って写真を撮影するだけで、スライドショーに必要な画像データを適切かつ確実に取得することができ、この画像データを利用することにより効果的なスライドショーを簡単に作成することができる。
【発明の効果】
【００１７】
以上説明したように、本発明の撮影指示ファイル生成プログラム及び撮影指示プログラム並びにデジタルカメラによれば、スライドショーとしての表示に適した画像データを確実に取得することができ、この画像データを利用することにより効果的なスライドショーを作成することができる。
【００１８】
その理由は、スライドショーを作成、表示する処理装置では、撮影指示ファイル生成手段又は撮影指示ファイル生成プログラムにより、少なくともスライドショーを構成する各々のスライドのカテゴリーや必要に応じてカテゴリー毎の画像数などの撮影指示情報が記述された撮影指示ファイルが生成され、撮影指示ファイルを受け取ったデジタルカメラでは、撮影指示手段又は撮影指示プログラムにより、撮影指示情報を含む撮影指示画面がモニタなどの表示手段に表示されるため、撮影指示画面の指示に従って写真を撮影するだけで、スライドショーに必要な画像データを適切かつ確実に取得することができるからである。
【発明を実施するための最良の形態】
【００１９】
本発明に係る撮影支援システムは、その好ましい一実施の形態において、スライドショーを作成、表示するための処理装置と、スライドショーとして利用する写真を撮影するデジタルカメラなどの撮影機器とを備え、処理装置には予め撮影指示ファイル生成手段がハードウェア又はソフトウェアとして構成され、デジタルカメラなどの撮影機器には撮影指示手段がハードウェア又はソフトウェアとして構成されている。そして、撮影指示ファイル生成手段では、例えば、スライドショーを構成する各々のスライドのカテゴリーやカテゴリー毎の画像数などの撮影を指示するための撮影指示情報が記述された撮影指示ファイルを生成し、撮影指示ファイルを読み込んだデジタルカメラの撮影指示手段では、撮影指示ファイルから上記撮影指示情報を読み取り、該撮影指示情報に基づいて、どのような写真を何枚撮影すればよいのかをユーザに知らせるための撮影指示画面をモニタ等の表示手段に表示して撮影を指示する。これにより、ユーザは撮影指示画面の指示に従って必要な枚数の写真を撮影するだけでスライドショーとしての表示に適した画像データを適切かつ確実に取得することができ、写真の撮り直しなどを無くすことができる。また、撮影して得た画像データを用いてスライドショーを作成することにより、効果的なスライドショーを簡単に作成することができる。
【実施例１】
【００２０】
上記実施形態について詳細に説明すべく、本発明の第１の実施例に係る撮影指示ファイル生成プログラム及び撮影指示プログラム並びにデジタルカメラについて、図１乃至図１８を参照して説明する。図１は、本発明の第１の実施例に係る撮影支援システムの構成を模式的に示す図であり、図２乃至図５は、処理装置のバリエーションを示す図である。また、図６は、処理装置の手段を示すブロック図であり、図７は、デジタルカメラの手段を示すブロック図である。また、図８は、処理装置を用いた撮影指示ファイルの生成手順を示すフローチャート図、図９は、デジタルカメラを用いた写真撮影の手順を示すフローチャート図、図１０は、処理装置を用いたスライドショーの作成手順を示すフローチャート図である。また、図１１及び図１２、図１５及び図１６は、処理装置の表示手段に表示される画面の一例を示す図であり、図１３及び図１４は、デジタルカメラの表示手段に表示される画面の一例を示す図である。また、図１７は、デジタルカメラに記録されるデータの記録構造を示す図であり、図１８は、記録媒体に記録されるデータの記録構造を示す図である。
【００２１】
図１に示すように、本実施例の撮影支援システムは、撮影指示ファイルを生成し、また、撮影して得られた画像データを用いてスライドショーを作成する処理装置１と、撮影指示ファイルを利用してスライドショーに必要な写真の撮影を行うデジタルカメラ７などの撮影機器とで構成される。
【００２２】
また、本実施例の処理装置１は、図６に示すように、スライドショーの設定画面や作成したスライドショーを表示するＬＣＤ、ＣＲＴ等の表示手段５と、スライドショーの設定や作成などの操作を行うキーボード、マウス等の操作手段６と、スライドショーに必要な写真の撮影を指示するための情報（以下、撮影指示情報と呼ぶ。）が記述されたファイル（以下、撮影指示ファイルと呼ぶ。）を生成する撮影指示ファイル生成手段１２と、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３などを用いて、生成した撮影指示ファイルを出力したり撮影して得られた画像データを入力するデータ入出力手段１３と、必要に応じて、画像データに基づいてＤＶＤプレーヤやＤＶＤレコーダ、ゲーム機等の画像再生機器で読み取り可能なＶｉｄｅｏ−ＣＤ形式、ＤＶＤ−Ｖｉｄｅｏ形式、ＨＤＴＶ形式などのデータを生成したり、画像データのデータサイズを縮小したサムネイル画像データやスクリーンネイル画像データなどの縮小画像データを作成するデータ生成手段１４と、記録媒体装填部４に装填されたＣＤ−Ｒ／ＲＷやＤＶＤ±Ｒ／ＲＷ、ＤＶＤ−ＲＡＭ、Ｂｌｕ−ｒａｙディスク等の記録媒体９にスライドショーのデータなどを記録するデータ記録手段１５と、スライドショープログラムなどを記憶する記憶手段１６とを備えている。上記各手段は処理装置１にハードウェアとして構成されていてもよいし、コンピュータを、少なくとも、撮影指示ファイル生成手段１２として機能させる撮影指示ファイル生成プログラムとして構成し、該プログラムを処理装置１にインストールして実行するようにしてもよい。
【００２３】
また、本実施例の撮影機器（以下、デジタルカメラ７として説明する。）は、図７に示すように、ＣＣＤ等の撮像素子、レンズ等の光学部材を備え、ＣＣＤの受光面に結像される被写体の光学像を画像信号に変換する撮像手段１８と、画像信号に色分離処理、ゲイン調整、Ａ／Ｄ変換、コントラスト調整、ホワイトバランス調整、ガンマ補正等の処理を行って画像データに変換する信号処理手段１９と、液晶モニタなどの表示手段１０と、ジョグダイアルなどの操作手段１１と、内蔵メモリなどの記憶手段２０と、メディア８を装填するメディア装填部２１と、記憶手段２０又はメディア８から撮影指示ファイルを読み取り、該ファイルに記述された撮影指示情報に基づいて写真撮影を指示する撮影指示画面を表示手段１０に表示させる等の制御を行う撮影指示手段１７とを備えている。上記各手段はデジタルカメラ７にハードウェアとして構成されていてもよいし、コンピュータを、少なくとも、撮影指示手段１７として機能させる撮影指示プログラムとして構成し、該プログラムをデジタルカメラ７にインストールして実行するようにしてもよい。
【００２４】
なお、図１では、撮影指示ファイルの生成とスライドショーの作成や表示を同じ処理装置１で実行する構成としているが、これらを異なる装置で実現する構成としてもよい。また、図１では処理装置１としてパーソナルコンピュータなどのコンピュータ機器を示しているが、処理装置１の形態は任意であり、例えば、図２に示すように写真店やコンビニエンスストアなどの店舗に設置される無人端末（キオスク）としたり、図３に示すように専用のセットトップボックスとしたり、図４に示すようにポータブルライターなどとしたり、図５に示すように、演算処理機能を備えるＨＤＤレコーダやＤＶＤレコーダ、ゲーム機などとすることもできる。
【００２５】
以下、上記構成の撮影支援システムを用いて写真撮影を支援する方法について説明するが、始めに、処理装置１を用いて撮影指示ファイルを生成する手順について、図８のフローチャート図を参照して説明する。
【００２６】
まず、ステップＳ１０１で、処理装置１を起動すると、撮影指示ファイル生成手段１２又は撮影指示ファイル生成プログラムは、スライドショーの構成を設定させるための画面を表示手段５に表示させる。
【００２７】
具体的には、撮影指示ファイル生成手段１２又は撮影指示ファイル生成プログラムは、例えば、図１１（ａ）に示すようなテーマ選択画面２２を表示手段５に表示させる。このテーマ選択画面２２には、処理装置１に予め登録されているスライドショーのテーマ（スライドショーを用途で分類したものをテーマと呼ぶ。）が表示され、ステップＳ１０２で、ユーザは作成しようとするスライドショーに合致するテーマ（ここでは、店舗紹介）を選択する。
【００２８】
テーマを選択すると、撮影指示ファイル生成手段１２又は撮影指示ファイル生成プログラムは、例えば、図１１（ｂ）に示すようなカテゴリー選択画面２３を表示手段５に表示させる。このカテゴリー選択画面２３には、選択したテーマのスライドショーを構成するスライドのカテゴリー（スライドを内容で分類したものをカテゴリーと呼ぶ。）が表示され、ステップＳ１０３で、ユーザはスライドショーで表示させる１又は複数のカテゴリー（ここでは、店の外観とおすすめ）を選択する。
【００２９】
カテゴリーを選択すると、撮影指示ファイル生成手段１２又は撮影指示ファイル生成プログラムは、例えば、図１２に示すようなスライドデザイン設定画面２４を表示手段５に表示させる。このスライドデザイン設定画面２４は、選択したカテゴリーのスライドのデザイン（スライドに表示する画像のサイズや配置、数量、文字のサイズや配置などを総称してデザインと呼ぶ。）を設定するためのものであり、ステップＳ１０４で、ユーザは”画像の設定”を選択して画像を嵌め込む画像枠２４ａのサイズや位置、数量などを設定したり、”文字の設定”を選択してスライドに表示させる文字を入力してスライドのデザインを設定する。例えば、図１２（ａ）は、”店の外観”のカテゴリーのスライドに１枚の画像と”入り口”の文字とを表示させ、図１２（ｂ）は、”おすすめ”のカテゴリーのスライドに飲み物と料理の２枚の画像と”飲み物”及び”料理”の文字とを表示させる場合を示している。
【００３０】
なお、図１１及び図１２のテーマ選択画面２２やカテゴリー選択画面２３、スライドデザイン設定画面２４の構成や遷移方法は例示であり、撮影を指示するための撮影指示情報が設定できる限りにおいてどのような構成や遷移方法であってもよい。また、上記フローでは、スライドショーのテーマと、スライドのカテゴリーと、スライドのデザインとを設定しているが、撮影に際してどのような写真を撮影すればよいかが明確であればよいことから、少なくとも、スライドのカテゴリーを設定すればよく、また、これら項目に加えて、他の情報（例えば、画像と共に再生する音声又は単独で再生する音声の有無など）を設定してもよい。
【００３１】
次に、選択した全てのカテゴリーに対してスライドデザインの設定が終了したら、ステップＳ１０５で、撮影指示ファイル生成手段１２又は撮影指示ファイル生成プログラムは、少なくとも選択したカテゴリーと必要に応じてカテゴリー毎の画像数などとを含む撮影指示情報が記述された撮影指示ファイルを生成する。この撮影指示ファイルはデジタルカメラ７側で認識できる限りにおいてその形式は任意であり、撮影指示情報をテキスト形式で記述したものであってもよいし、写真業界で推奨されている専用のファイル（ｐｖｍ形式のファイル）などとしてもよい。
【００３２】
そして、ステップＳ１０６で、撮影指示ファイル生成手段１２又は撮影指示ファイル生成プログラムは、生成された撮影指示ファイルを、機器接続部２に接続されたデジタルカメラ７の記憶手段２０やメディア装填部２に装填されたメディア８などに記録して一連の処理を終了する。
【００３３】
なお、上記フローでは、所定のスライドショーで利用する全ての画像データをユーザに撮影させるための撮影指示情報が記述された撮影指示ファイルを生成しているが、撮影指示ファイルには、所定のスライドショーで利用する１以上の画像データをユーザに撮影させるための撮影指示情報が記述されていればよく、例えば、予め記憶手段１６に記憶されている画像データを利用してスライドショーを作成する場合に、不足分の画像データをユーザに撮影させるための撮影指示情報が記述された撮影指示ファイルを生成してもよいし、一旦スライドショーを作成した後、新たなカテゴリーを追加する場合などに、追加分の画像データをユーザに撮影させるための撮影指示情報が記述された撮影指示ファイルを生成してもよい。
【００３４】
次に、撮影指示ファイルが記憶手段２０に記録されたデジタルカメラ７又は撮影指示ファイルが記録されたメディア８が装填されたデジタルカメラ７を用いて、スライドショーに必要な写真を撮影する手順について、図９のフローチャート図を参照して説明する。
【００３５】
まず、ステップＳ２０１で、デジタルカメラ７を起動し、ステップＳ２０２で、ジョグダイアルや十字ボタンなどの操作手段１１を操作して、スライドショーに利用する写真を撮影するために予め設けられた撮影モード（スライドショー撮影モード）を選択する。
【００３６】
次に、ステップＳ２０３で、撮影指示手段１７又は撮影指示プログラムは、デジタルカメラ７の記憶手段２０又はメディア８から撮影指示ファイルを読み取る。その際、複数の撮影指示ファイルが記録されている場合は、記録されている撮影指示ファイルの一覧を表示手段１０に表示させ、操作手段１１を用いてその中から所望のスライドショーに対応する撮影指示ファイルをユーザに選択させるようにしてもよい。
【００３７】
次に、ステップＳ２０４で、撮影指示手段１７又は撮影指示プログラムは、撮影指示ファイルに記述された撮影指示情報に基づいて、図１４に示すような撮影指示画面２５を表示手段１０に表示させる。この撮影指示画面２５の構成は限定されないが、例えば、図１４（ａ）に示すように、始めに、スライドショーのテーマやスライドショー用の撮影が始まることを示すメッセージを表示し、続いて、図１４（ｂ）に示すように、少なくとも各々のカテゴリーを特定する情報（ここでは店の外観）と必要に応じて撮影する写真の枚数を特定する情報（ここでは１枚）などを含む撮影指示画面２５を表示手段１０に表示する。
【００３８】
次に、ステップＳ２０５で、デジタルカメラ７に予め設けられた撮影開始ボタンを押すなどの操作を行って写真を撮影する画面を表示させ、撮影指示画面２５の指示に従って写真を撮影する。なお、ここでは撮影指示画面２５と写真を撮影する画面とを別画面としているが、例えば、図１４（ａ）に示すように、撮影指示画面２５に画像を表示する画像枠２５ａを設け、撮影開始を指示すると画像枠２５ａ内に撮影した画像が表示されるようにしてもよい。また、写真撮影に不慣れなユーザの場合、カテゴリーの名称だけではどのような写真を撮影すればよいのかが分からない場合もあるため、図１４（ｂ）に示すように、撮影指示画面２５に予め記憶手段２０に登録されているサンプルの画像を表示させることもできる。このように、従来のデジタルカメラでは、スライドショーを作成するためにどのような写真を何枚撮影すればよいのかなどの情報は表示されないため、ユーザはスライドショーをイメージしながら写真を撮影しなければならず、写真の撮り直しが必要となる場合が多かったが、本実施例のデジタルカメラ７では、撮影指示画面２５にどのようなカテゴリーの写真を何枚撮影すればよいのかが表示されるため、スライドショーで必要な画像データを適切かつ確実に撮影することができる。
【００３９】
次に、ステップＳ２０６で、撮影指示手段１７又は撮影指示プログラムは、撮影した写真の画像データを記憶手段２０又はメディア８に記録させる。その際、記録した画像データを用いて処理装置１でスライドショーを簡単に作成できるように、どの画像データがスライドショーのために撮影されたものであるか、スライドショーのどのカテゴリーの写真として撮影されたものであるかを識別できるようにすることもできる。その場合は、例えば、図１７（ａ）に示すように、スライドショー撮影モード以外のモードで撮影された画像データと区別するために、スライドショー撮影モード用のフォルダ（”SlideShow”の名称のフォルダ）を作成し、その中に上記フローで撮影された画像データを記録したり、図１７（ｂ）に示すように、更に、該フォルダの下位の階層にカテゴリー毎のフォルダ（”店の外観”、”おすすめ”の名称のフォルダ）を作成して各々のカテゴリーに対して撮影された画像データを記録したり、カテゴリーを識別できる文字等を用いてファイル名（例えば、店の外観の写真の場合はentrance、飲み物の場合はdrink、食べ物の場合はfoodなど）を生成し、そのファイル名を画像データに付与して記録する構成とすることができる。
【００４０】
そして、画像データを記録したら、ステップＳ２０７で、撮影指示情報で指示された枚数分の写真を撮影したかを判断し、指示された枚数に満たない場合はステップＳ２０５に戻って、同様に写真を撮影して画像データを記録する。その際、各々のカテゴリーの写真を複数枚撮影する場合に、あと何枚撮影すればよいのかをわかりやすくするために、図１４（ｃ）に示すように、撮影指示画面２５に撮影済みの写真の枚数や未撮影の写真の枚数などを表示させてもよい。なお、ここでは各々のカテゴリーの写真は撮影指示情報で指示された枚数分撮影する構成としているが、撮影指示ファイルにはカテゴリーを特定する情報のみを記述しておき、ユーザが任意の枚数の写真を撮影できるようにし、スライドショー作成時にその中から所望の画像データをユーザに選択させたり、デジタルカメラ７が自動的に選択（例えば、後に撮影されたものを選択）するようにしてもよい。
【００４１】
次に、ステップＳ２０８で、次のカテゴリーがあるかを判断し、撮影していないカテゴリーがある場合はステップＳ２０４に戻って、例えば、図１３（ｃ）に示すような撮影指示画面２５を表示手段１０に表示させ、同様に、ユーザは撮影指示画面２５の指示に従って所定数の写真の撮影して画像データを記録する。
【００４２】
上記手順に従って操作することによりスライドショーの作成に必要な画像データを適切かつ確実に取得することができるが、該画像データを用いて簡単にスライドショーを作成できるようにするために、記憶手段２０又はメディア８に記録されている画像データに関する情報が記述された情報ファイルを生成して記録しておくこともできる。その場合は、ステップＳ２０９で、撮影指示手段１７又は撮影指示プログラムは、上記手順で撮影された画像データを特定する情報（例えば、ファイル名）と該画像データに対応するカテゴリーとを対応付ける情報が記述された情報ファイル（図１７のinfo.txtなど）を生成して、画像データと共に記憶手段２０又はメディア８に記録する。
【００４３】
次に、上記フローで撮影して得られた画像データを利用してスライドショーを作成する手順について、図１０のフローチャート図を参照して説明する。
【００４４】
まず、ステップＳ３０１で、処理装置１を起動させ、ステップＳ３０２で、処理装置１に予めインストールされたスライドショープログラムを起動させる。このスライドショープログラムは、上述した撮影指示ファイル生成プログラムや撮影指示プログラムと連動して動作するものとしてもよいし、独立して動作する汎用的なスライドショープログラムとしてもよい。また、スライドショーを作成する手段を処理装置１にハードウェアとして構成してもよい。
【００４５】
次に、ステップＳ３０３で、処理装置１のメディア装填部２にメディア８を装填、又は、機器接続部３にデジタルカメラ７などを接続し、ステップＳ３０４で、デジタルカメラ７やメディア８に記録された画像データを読み取る。その際、デジタルカメラ７の記憶手段２０やメディア８に、所定の名称のフォルダが生成されている場合は、該フォルダに格納されている画像データがスライドショー用に取得された画像データであると認識することができ、また、該画像データに所定の名称のファイル名が付与されている場合は、該画像データがスライドショー用画像データであると認識することができる。また、画像データと共に上述した情報ファイルが記録されている場合は、該情報ファイルの記述を参照して、スライドショー用画像データを識別することもできる。
【００４６】
次に、ステップＳ３０５で、スライドショーの作成を行う。このスライドショーの作成方法は任意であり、汎用的なスライドショープログラムを用いてユーザがスライドショーを作成してもよいし、上記撮影指示ファイル生成プログラムや撮影指示プログラムに関連付けて機能するスライドショープログラムを用いて自動的にスライドショーを作成してもよい。
【００４７】
例えば、汎用的なスライドショープログラムを用いる場合、スライドショープログラムは図１５に示すスライドショー作成画面２７を表示手段５に表示させる。このスライドショー作成画面２７には、例えば、画像データの供給元を示すタグ表示欄２８と、画像データの縮小画像を一覧表示するアルバム表示欄２９と、選択された画像データを表示する選択画像表示欄３０と、操作手順を明示する手順表示欄３１とを備えており、操作手段６を用いてタグ表示欄２８の中から”デジカメ画像”の”SlideShow”を選択すると、アルバム表示欄２９には上記フローで撮影して得られた画像データに基づく画像が一覧表示される。次に、ユーザは操作手段６を用いてアルバム表示欄２９に一覧表示された画像を順に選択（撮影指示ファイルで指示された枚数より多い画像データを撮影した場合はアルバム表示欄２９に一覧表示された画像の中から所望の画像データを選択）すると、選択された画像が選択画像表示欄３０に順次表示される。そして、手順表示欄３１に従って操作を行い、スライドショーのタイトルを入力したり、画像と共に表示される文字を入力したり、画像と共に再生されるＢＧＭを選択してスライドショーを作成する。
【００４８】
また、撮影指示ファイル生成プログラムや撮影指示プログラムと関連付けられているスライドショープログラムを用いた場合、スライドショープログラムは、デジタルカメラ７の記憶手段２０やメディア８に図１７（ｂ）に示すフォルダ構造で画像データが記録されているとすると、”SlideShow”フォルダ内の画像データが撮影指示ファイルに従って撮影された画像データであると認識し、該フォルダの下位の階層に作成されたサブフォルダの数から該スライドショーがどのようなカテゴリーで構成されているかを認識し、更に、各々のサブフォルダに格納されている画像データの数から各々のカテゴリーの画像数を認識し、これらの情報に基づいて、スライド表示する画像データを順に選択してスライドショーを作成する。また、記憶手段２０やメディア８に情報ファイルが記憶されている場合は、該情報ファイルの記述を参照して、読み取った画像データの中からスライドショー用に撮影された画像データを識別し、該画像データを順に選択してスライドショーを作成する。その際、スライドショーの設定情報（画像の配置やサイズ、画像と共に表示する文字、画像と共に再生する音声情報など）が処理装置１の記憶手段１６に記録されている場合は、図１６に示すように設定情報に基づいて読み出した画像データに基づく画像を所定のサイズ、配置で表示すると共に文字や音声を合成して、スライドデザイン設定画面２４で設定したデザインのスライドで構成されるスライドショーを作成することができる。
【００４９】
上記ステップで、撮影指示ファイルに従って撮影された画像データを利用してスライドショーを作成することができ、作成したスライドショーを処理装置１の表示手段５で再生することができるが、広告目的でスライドショーを作成する場合は、このスライドショーを他のユーザも閲覧できるように記録媒体９に記録することもできる。その場合は、ステップＳ３０６でデータを記録するかを判断し、データを記録する場合は、ステップＳ３０７で、処理装置１の記録媒体装填部４に、ＣＤ−Ｒ／ＲＷやＤＶＤ±Ｒ／ＲＷ、ＤＶＤ−ＲＡＭ、Ｂｌｕ−ｒａｙディスクなどの記録媒体９を装填した後、スライドショーのデータ（スライドショー用に撮影された画像データやスライドショープログラム、スライドショーの設定情報など）を記録媒体９に記録すればよい。
【００５０】
ここで画像データやプログラムなどが記録された記録媒体９は、パーソナルコンピュータなどのコンピュータ機器を用いなければ再生することができず不便である。一方、近年、ＤＶＤプレーヤなどの画像再生機器ではＶｉｄｅｏ−ＣＤなどの形式で記録されたデータを再生することができ、かつ、操作が簡単であることから、上記スライドショーを画像再生機器で再生することができれば非常に有用である。
【００５１】
そこで、必要に応じて、ステップＳ３０８で、データ生成手段１４を用いて、画像データにスライド表示の時間分の差分０のデータを付加して動画データを生成したり、画像データにスライドショープログラムで設定されたスライド効果に基づく差分データを付加して動画データを生成し、生成した画像データをＶｉｄｅｏ−ＣＤ形式、ＤＶＤ−Ｖｉｄｅｏ形式、ＨＤＴＶ形式などのデータに変換して、ＤＶＤプレーヤやＤＶＤレコーダ、ゲーム機等の画像再生機器で読み取り可能なデータを生成する。また、必要に応じて、データ生成手段１４を用いて、読み取った画像データのデータサイズを縮小したサムネイル画像データやスクリーンネイル画像データなどの縮小画像データを作成する。
【００５２】
そして、ステップＳ３０９でこれらのデータを記録媒体に記録するが、その際、ＤＶＤプレーヤなどの画像再生機器では、記録媒体の特定の領域（具体的には論理アドレス領域の最内周）に画像再生機器用データが記録されていないと再生することができないため、まず、作成したＶｉｄｅｏ−ＣＤ形式などのデータや関連付けファイル等（以下、これらを総称して画像再生機器用データ群と呼ぶ。）を記録媒体９の論理アドレス領域の内側に記録し、必要に応じてセッションをクローズした後、入力した画像データや作成した縮小画像データと、スライドショープログラム及び設定ファイルと、記録媒体９内のプログラムを起動させるための自動起動ファイル等（以下、これらを総称してコンピュータ機器用データ群と呼ぶ。）を記録媒体９に先に記録された画像再生機器用データ群の外側に記録して一連の書き込み処理を終了する。
【００５３】
上記手順で作成された記録媒体９の記録構造は、例えば、図１７に示すようになり、”PS_Roll”フォルダ内の画像データ、サムネイル画像データ、スクリーンネイル画像データなどの画像データ群及び情報ファイルと、”APPL”フォルダ内のスライドショープログラム及びスライドショーの設定ファイルと、自動起動ファイル（Autrun.inf）などでコンピュータ機器用データ群が構成され、”VCD”フォルダ内の画像データをＶｉｄｅｏ−ＣＤ形式、ＤＶＤ−Ｖｉｄｅｏ形式、ＨＤＴＶ形式用データ等として関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで画像再生機器用データ群が構成される。
【００５４】
なお、複数のデジタルカメラ７やメディア８から画像データを読み取る場合にはフォルダの名称や画像データのファイル名が重複する場合も考えられる。その場合には、図１７に示すように、例えば、画像データの格納場所を示すフォルダ（PS_Roll）の下位の階層に機器毎、メディア８毎にフォルダを作成し、そのフォルダの名称をROYYMMDDyyy_XXXXXXAABxxx（YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などとしたり、画像データのファイル名をCCYYMMDDxxxxxx（CC：画像データの種別、YYMMDD：書き込み年月日を特定する数字、xxxxxx：シーケンシャル番号）などとすることもできる。
【００５５】
このように、本実施例では、処理装置１に設けた撮影指示ファイル生成手段１２や処理装置１に予めインストールされた撮影指示ファイル生成プログラムにより、所望のスライドショーを作成するために必要な写真を撮影するための撮影指示情報が記述された撮影指示ファイルが生成され、デジタルカメラ７に設けた撮影指示手段１７やデジタルカメラ７に予めインストールされた撮影指示プログラムにより、該撮影指示ファイルに基づいて、表示手段１０に撮影の手順を示す撮影指示画面２５が表示されるため、ユーザは画面の指示に従って写真を撮影するだけで、スライドショーに必要な画像を適切かつ確実に取得することができ、この画像データを用いて処理装置１で簡単にスライドショーを作成することができる。
【実施例２】
【００５６】
次に、本発明の第２の実施例に係る撮影指示ファイル生成プログラム及び撮影指示プログラム並びにデジタルカメラについて、図１９を参照して説明する。図１９は、デジタルカメラを用いた写真撮影の手順を示すフローチャート図である。
【００５７】
前記した第１の実施例では、処理装置１で撮影指示ファイルを生成し、デジタルカメラ７では、その撮影指示ファイルに基づいて撮影指示画面２５を表示手段１０に表示させる制御を行ったが、デジタルカメラ７の表示手段１０や操作手段１１を用いてスライドショーの構成を設定できる場合は、処理装置１で撮影指示ファイルを生成しなくても同様に撮影を支援することができる。そこで、本実施例では、デジタルカメラ７でスライドショーの構成を設定し、その設定に基づいて撮影指示画面２５を表示させる場合について説明する。
【００５８】
本実施例のデジタルカメラ７の構成は、第１の実施例と同様に図７に示すようになり、撮像手段１８と信号処理手段１９と表示手段１０と操作手段１１と記憶手段２０とメディア装填部２１と撮影指示手段１７とで構成されるが、本実施例の撮影指示手段１７は、表示手段１０にスライドショーの設定画面を表示させると共に、設定画面で設定された撮影指示情報に基づいて撮影指示画面を表示させる制御を行う。なお、本実施例においても上記各手段はデジタルカメラ７にハードウェアとして構成されていてもよいし、コンピュータを、少なくとも、撮影指示手段１７として機能させる撮影指示プログラムとして構成し、該プログラムをデジタルカメラ７にインストールして実行するようにしてもよい。
【００５９】
以下、上記構成のデジタルカメラ７を用いてスライドショーに必要な画像データを取得する手順について、図１９のフローチャート図を参照して説明する。
【００６０】
まず、ステップＳ４０１で、デジタルカメラ７を起動し、ステップＳ４０２で、ジョグダイアルや十字ボタンなどの操作手段１１を操作して、スライドショーの構成を設定するモード（スライドショー設定モード）を選択する。すると、ステップＳ４０３で、撮影指示手段１７又は撮影指示プログラムは、図１１及び図１２に示すようなスライドショーの構成を設定させるための画面を表示手段５に表示させ、ステップＳ４０４で、第１の実施例と同様に、上記画面を操作することによりスライドショーのテーマやカテゴリーの選択、スライドのデザインの設定などを行う。
【００６１】
なお、本実施例においても、テーマ選択画面２２やカテゴリー選択画面２３、スライドデザイン設定画面２４の構成や遷移方法は例示であり、撮影を指示するための撮影指示情報が設定できる限りにおいてどのような構成や遷移方法であってもよい。また、上記フローでは、スライドショーのテーマと、スライドのカテゴリーと、スライドのデザインとを設定しているが、撮影に際してどのような写真を撮影すればよいかが明確であればよいことから、少なくとも、スライドのカテゴリーを設定すればよく、また、これら項目に加えて、他の情報を設定してもよい。
【００６２】
次に、選択した全てのカテゴリーに対してスライドデザインの設定が終了したら、ステップＳ４０５で、ジョグダイアルや十字ボタンなどの操作手段１１を操作して、スライドショーの写真を撮影するモード（スライドショー撮影モード）を選択する。
【００６３】
次に、ステップＳ４０６で、撮影指示手段１７又は撮影指示プログラムは、ステップＳ４０４で設定した撮影指示情報に基づいて、例えば、図１４に示すように、スライドショーのテーマや各々のカテゴリーを特定する情報、撮影する写真の枚数を特定する情報などを含む撮影指示画面２５を表示手段１０に表示させる。
【００６４】
次に、ステップＳ４０７で、デジタルカメラ７に予め設けられた撮影開始ボタンを押すなどの操作を行って写真を撮影する画面を表示させ、撮影指示画面２５の指示に従って写真を撮影する。なお、本実施例においても、図１４（ａ）に示すように、撮影指示画面２５に画像を表示する画像枠２５ａを設け、撮影開始を指示すると画像枠２５ａ内に撮影した画像が表示されるようにしてもよいし、図１４（ｂ）に示すように、撮影指示画面２５に予め記憶手段２０に登録されているサンプルの画像を表示させてもよい。
【００６５】
次に、ステップＳ４０８で、撮影指示手段１７又は撮影指示プログラムは、撮影した写真の画像データを記憶手段２０又はメディア８に記録させる。その際、例えば、図１７（ａ）に示すように、スライドショー撮影モード用のフォルダを作成し、その中に上記フローで撮影された画像データを記録したり、図１７（ｂ）に示すように、更に、該フォルダの下位の階層にカテゴリー毎のフォルダを作成して各々のカテゴリーに対して撮影された画像データを記録したり、カテゴリーを識別できる文字等を用いてファイル名を生成し、そのファイル名を画像データに付与して記録する構成とすることもできる。
【００６６】
そして、画像データを記録したら、ステップＳ４０９で、撮影指示情報で指示された枚数分の写真を撮影したかを判断し、指示された枚数に満たない場合はステップＳ４０７に戻って、同様に写真を撮影して画像データを記録する。その際、図１４（ｃ）に示すように、撮影指示画面２５に撮影済みの写真の枚数や未撮影の写真の枚数などを表示させてもよいし、撮影指示画面２５にはカテゴリーを特定する情報のみを表示してユーザが任意の枚数の写真を撮影できるようにし、スライドショー作成時にその中から所望の画像データをユーザに選択させたり、デジタルカメラ７が自動的に選択するようにしてもよい。
【００６７】
次に、ステップＳ４１０で、次のカテゴリーがあるかを判断し、撮影していないカテゴリーがある場合はステップＳ４０６に戻って、例えば、図１３（ｃ）に示すような撮影指示画面２５を表示手段１０に表示させ、同様に、ユーザは画面の指示に従って所定数の写真を撮影して画像データを記録する。
【００６８】
次に、必要に応じて、ステップＳ４１１で、撮影指示手段１７又は撮影指示プログラムは、上記手順で撮影された画像データを特定する情報と該画像データに対応するカテゴリーとを対応付ける情報が記述された情報ファイル（図１７のinfo.txtなど）を生成して、画像データと共に記憶手段２０又はメディア８に記録する。
【００６９】
そして、スライドショーに必要な画像データを取得したら、デジタルカメラ７の記憶手段２０や処理装置１の記憶手段１６に予めインストールされたスライドショープログラムを用いて、第１の実施例と同様にスライドショーを作成する。
【００７０】
このように、本実施例では、デジタルカメラ７に設けた撮影指示手段１７やデジタルカメラ７に予めインストールされた撮影指示プログラムにより、スライドショーの構成を設定するため画面が表示手段１０に表示されると共に、該画面に従って設定されたスライドショーの構成に基づいて撮影の手順を示す撮影指示画面２５が表示手段１０に表示されるため、ユーザは画面の指示に従って写真を撮影するだけで、スライドショーに必要な画像を適切かつ確実に取得することができ、この画像データを用いてデジタルカメラ７又は処理装置１で簡単にスライドショーを作成することができる。
【００７１】
なお、上記各実施例では、デジタルカメラ７などの撮影機器でスライドショーに利用される画像を撮影する場合について示したが、画像と共に音声を録音する構成としてもよく、また、録音機器で音声のみを録音する場合も同様に適用することができる。また、上記各実施例では、スライドショーで利用される画像を撮影する場合について示したが、本発明は上記実施例の記載に限定されるものではなく、他の目的で利用される画像を撮影する場合についても同様に適用することができる。
【図面の簡単な説明】
【００７２】
【図１】本発明の第１の実施例に係る撮影支援システムの構成を模式的に示す図である。
【図２】本発明の第１の実施例に係る処理装置の他の構成を示す図である。
【図３】本発明の第１の実施例に係る処理装置の他の構成を示す図である。
【図４】本発明の第１の実施例に係る処理装置の他の構成を示す図である。
【図５】本発明の第１の実施例に係る処理装置の他の構成を示す図である。
【図６】本発明の第１の実施例に係る処理装置の主な手段を示すブロック図である。
【図７】本発明の第１の実施例に係るデジタルカメラの主な手段を示すブロック図である。
【図８】本発明の第１の実施例に係る処理装置を用いた撮影指示ファイルの作成手順を示すフローチャート図である。
【図９】本発明の第１の実施例に係るデジタルカメラを用いた撮影手順を示すフローチャート図である。
【図１０】本発明の第１の実施例に係る処理装置を用いたスライドショーの作成及び記録手順を示すフローチャート図である。
【図１１】本発明の第１の実施例に係る処理装置の表示手段に表示される画面構成例（テーマ選択画面及びカテゴリー選択画面）を示す図である。
【図１２】本発明の第１の実施例に係る処理装置の表示手段に表示される画面構成例（スライドデザイン設定画面）を示す図である。
【図１３】本発明の第１の実施例に係るデジタルカメラの表示手段に表示される画面構成例（撮影指示画面）を示す図である。
【図１４】本発明の第１の実施例に係るデジタルカメラの表示手段に表示される画面構成例（撮影指示画面）を示す図である。
【図１５】本発明の第１の実施例に係る処理装置の表示手段に表示される画面構成例（スライドショー作成画面）を示す図である。
【図１６】本発明の第１の実施例に係る処理装置の表示手段に表示される画面構成例（スライドショー画面）を示す図である。
【図１７】本発明の第１の実施例のデジタルカメラにおけるデータの記録構造を示す図である。
【図１８】本発明の第１の実施例の記録媒体におけるデータの記録構造を示す図である。
【図１９】本発明の第２の実施例に係るデジタルカメラを用いたスライドショーの設定手順及び撮影手順を示すフローチャート図である。
【符号の説明】
【００７３】
１  処理装置
２  メディア装填部
３  機器接続部
４  記録媒体装填部
５  表示手段
６  操作手段
７  デジタルカメラ
７ａ  カメラ付き携帯電話機
８  メディア
９  記録媒体
１０  表示手段
１１  操作手段
１２  撮影指示ファイル生成手段
１３  データ入出力手段
１４  データ生成手段
１５  データ記録手段
１６  記憶手段
１７  撮影指示手段
１８  撮像手段
１９  信号処理手段
２０  記憶装置
２１  メディア装填部
２２  テーマ選択画面
２３  カテゴリー選択画面
２４  スライドデザイン設定画面
２４ａ  画像枠
２５  撮影指示画面
２５ａ  画像枠
２６  スライドショー画面
２７  スライドショー作成画面
２８  タグ表示欄
２９  アルバム表示欄
３０  選択画像表示欄
３１  手順表示欄
【図１】
2006196957.tif 000003
【図２】
2006196957.tif 000004
【図３】
2006196957.tif 000005
【図４】
2006196957.tif 000006
【図５】
2006196957.tif 000007
【図６】
2006196957.tif 000008
【図７】
2006196957.tif 000009
【図８】
2006196957.tif 000010
【図９】
2006196957.tif 000011
【図１０】
2006196957.tif 000012
【図１１】
2006196957.tif 000013
【図１２】
2006196957.tif 000014
【図１３】
2006196957.tif 000015
【図１４】
2006196957.tif 000016
【図１５】
2006196957.tif 000017
【図１６】
2006196957.tif 000018
【図１７】
2006196957.tif 000019
【図１８】
2006196957.tif 000020
【図１９】
2006196957.tif 000021